(57)【要約】【課題】  従来、印刷ジョブに対するプリント設定は、クライアントＰＣにインストールしたプリンタドライバで行われていたため、印刷装置毎にプリンタドライバを作成する必要があり、そのため開発のための負荷が増大していた。【解決手段】  プリント設定の画面およびプログラムを、クライアントＰＣにインストールしたプリンタドライバが持つのではなく、ＪＡＶＡ（登録商標）等を用いて印刷処理装置から送信してクライアントＰＣ上に表示させる。【選択図】  図１
2007026079.tif 000002
【特許請求の範囲】
【請求項１】
外部からの印刷ジョブを受信して印刷する印刷装置であって、
該印刷ジョブを受信した際に、給紙設定や排紙設定、画質設定などのプリント設定をクライアントＰＣ上で入力するための入力画面のデータを作成する作成手段と、
前記作成手段によって作成された表示データをクライアントＰＣに送信する送信手段と、
前記送信手段によって送信された入力画面のデータをクライアントＰＣ上に表示するための表示部と、
前記入力画面によって入力されたプリント設定値を該印刷ジョブの印刷条件として設定する設定手段と、
前記印刷条件として設定されたプリント設定値を用いて印刷処理を行うことを特徴とする印刷装置。
【請求項２】
前記プリント設定を設定するための入力画面を印刷装置の表示部に表示する表示手段は、あらかじめ表示する項目を選択的に指定しておけることを特徴とする請求項１に記載の印刷装置。
【請求項３】
さらに、前記プリント設定を設定するための入力画面を印刷装置の表示部に表示するか否かの設定を可能とするプリント設定表示ＯＮ・ＯＦＦ切り替え手段を備えることを特徴とする請求項１から２に記載の印刷装置。
【請求項４】
前記プリント設定を設定するための入力画面を印刷装置の表示部に表示する表示手段は、表示の際にユーザに入力画面が表示されたことを知らせる警告音の発生を伴うことを特徴とする請求項１から３に記載の印刷装置。
【発明の詳細な説明】
【技術分野】
【０００１】
本発明は、プリント設定に応じて印刷処理を実行する印刷装置及び印刷方法ならびに印刷方法を実行するプログラムに関するものである。
【背景技術】
【０００２】
従来、印刷ジョブに対するプリント設定は、クライアントＰＣにインストールしたプリンタドライバで行われ、そのプリント設定のための画面およびプログラムは、クライアントＰＣ上のプリンタドライバが待っていた。
【０００３】
又、従来例としては、例えば特許文献１と特許文献２をあげることが出来る。
【特許文献１】特開2000-330734号公報
【特許文献２】特開2003-150352号公報
【発明の開示】
【発明が解決しようとする課題】
【０００４】
しかしながら、印刷装置によってプリント設定の項目は異なるため、印刷装置毎にプリンタドライバを作成する必要があり、そのため開発のための負荷が増大していた。
【０００５】
また、ユーザにとっては、メーカや同じメーカでも機種のジャンル毎に異なる操作性のプリント設定のユーザインタフェースを使用することになり、混乱をまねいていた。
【０００６】
また、さらに、同じ機種の印刷装置でも給紙装置や排紙装置をはじめ使用できるオプションは、そのオプション構成や状態によって異なるため、プリンタドライバの設定を印刷装置の構成に合わせて設定しない限り、ただしいプリント設定ができないという問題点もあった。
【課題を解決するための手段】
【０００７】
上記目的を達成するための一手段として、本発明の画像形成システムは以下の構成を備える。
【０００８】
すなわち、外部からの印刷ジョブを受信して印刷する印刷装置であって、該印刷ジョブを受信した際に、給紙設定や排紙設定、画質設定などのプリント設定をクライアントＰＣ上で入力するための入力画面のデータを作成する作成手段と、前記作成手段によって作成された表示データをクライアントＰＣに送信する送信手段と、前期送信手段によって送信された入力画面のデータをクライアントＰＣ上に表示するための表示部と、前記入力画面によって入力されたプリント設定値を該印刷ジョブの印刷条件として設定する設定手段と、前記印刷条件として設定されたプリント設定値を用いて印刷処理を行うことを特徴とする。
【０００９】
またさらには、前記プリント設定を設定するための入力画面を印刷装置の表示部に表示する表示手段は、あらかじめ表示する項目を選択的に指定しておけることを特徴とする。
【００１０】
またさらには、前記プリント設定を設定するための入力画面を印刷装置の表示部に表示するか否かの設定を可能とするプリント設定表示ＯＮ・ＯＦＦ切り替え手段を備えることを特徴とする。
【００１１】
またさらには、前記プリント設定を設定するための入力画面を印刷装置の表示部に表示する表示手段は、表示の際にユーザに入力画面が表示されたことを知らせる警告音の発生を伴うことを特徴とする。
【発明の効果】
【００１２】
本発明によって、プリント設定の画面およびプログラムは、クライアントＰＣにインストールしたプリンタドライバが持つのではなく、印刷処理装置から送信されてクライアントＰＣ上に表示されるので、各機種固有のプリンタドライバを開発する必要がなくなり、開発コストの削減が可能となる。また、ユーザにとっては、各機種間で統一した操作性を得ることが可能となる。また、さらには、プリンタドライバの設定を印刷装置の構成に合わせるという操作が不要になり、ユーザの負担を低減することが可能となる。
【発明を実施するための最良の形態】
【００１３】
図１は本発明の実施例の画像処理装置の構成を示すブロック図である。リーダ部１は原稿の画像を読み取り、原稿画像に応じた画像データをプリンタ部２及び画像入出力制御部３へ出力する。プリンタ部２はリーダ部１及び画像入出力制御部３からの画像データに応じた画像を記録紙上に記録する。画像入出力制御部３はリーダ部１に接続されており、ファクシミリ部４、ファイル部５、ネットワークインタフェース部７、LIPSフォーマッタ部８、ポストスクリプトフォーマッタ部９、コア部１０などからなる。
【００１４】
ファクシミリ部４は電話回線を介して受信した圧縮画像データを伸長して、伸長された画像データをコア部１０へ転送し、又、コア部１０から転送された画像データを圧縮して、圧縮された圧縮画像データを電話回線を介して送信する。ファイル部５には磁気ディスクドライブユニット６が接続されており、ファイル部５はコア部１０から転送された画像データを圧縮し、その画像データを検索するためのキーワードとともに磁気ディスクドライブユニット６にセットされた磁気ディスクに記憶させる。又、ファイル部５はコア部１０を介して転送されたキーワードに基づいて磁気ディスクに記憶されている圧縮画像データを検索し、検索された圧縮画像データを読み出して伸長し、伸長された画像データをコア部１０へ転送する。ネットワークインタフェース部７は、パーソナルコンピュータ又はワークステーション（ＰＣ／ＷＳ）１１とコア部１０の間のインタフェースである。１２はネットワークサーバーであり、ネットワーク制御の中枢である。フォーマッタ部８、９はＰＣ／ＷＳ４１から転送されたＰＤＬデータをプリンタ部２で記録できる画像データに展開するものである。操作部１３は、操作者により種々の操作指示を行うためのものである。コア部１０については後述するが、コア部１０はリーダ部１、ファクシミリ部４、ファイル部５、ネットワークインタフェース部７、フォーマッタ部８、９のそれぞれの間のデータの流れを制御するものである。
【００１５】
図２はリーダ部１及びプリンタ部２の断面図である。リーダ部１の原稿給送装置１０１は原稿を最終頁から順に１枚ずつプラテンガラス１０２上へ給送し、原稿の読み取り動作終了後、プラテンガラス１０２上の原稿を排出するものである。原稿がプラテンガラス１０２上に搬送されると、ランプ１０３を点灯し、そしてスキャナユニット１０４の移動を開始させて、原稿を露光走査する。この時の原稿からの反射光は、ミラー１０５、１０６、１０７、及びレンズ１０８によってＣＣＤイメージセンサ（以下ＣＣＤという）１０９へ導かれる。このように、走査された原稿の画像はＣＣＤ１０９によって読み取られるＣＣＤ１０９から出力される画像データは、所定の処理が施された後、プリンタ部２及び画像入出力制御部３のコア部１０へ転送される。
【００１６】
プリンタ部２のレーザドライバ２２１はレーザ発光部２０１を駆動するものであり、リーダ部１から出力された画像データに応したレーザ光をレーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４及びカセット２０５のいずれかから記録紙を給紙して転写部２０６へ搬送し、感光ドラム２０２に付着された現像剤を記録紙に転写する。現像剤の乗った記録紙は定着部２０７に搬送され、定着部２０７の熱と圧力により現像剤は記像紙に定者される。定着部２０７を通過した記録紙は排出ローラ２０８によって排出され、ソータ２２０は排出された記録紙をそれぞれのピンに収納して記録紙の仕分けを行う。なお、ソータ２２０は仕分けが設定されていない場合は最上ビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路へ導く。多重記録が設定されている場合は、記録紙を排出ローラ２０８まで搬送しないようにフラッパ２０９によって再給紙搬送路へ導く。再給紙搬送路へ導かれた記録紙は上述したタイミングで転写部２０６へ給紙される。
【００１７】
図３はコア部１０のブロック図である。リーダ部１からの画像データはデータ処理部１２１へ転送されるとともに、リーダ部１からの制御コマンドはＣＰＵ１２３へ転送される。データ処理部１２１は画像の回転処理や変倍処理などの画像処理を行うものであり、リーダ部１からデータ処理部１２１へ転送された画像データは、リーダ部１から転送された制御コマンドに応じて、インタフェース１２０を介してファクシミリ部４、ファイル部５、ネットワークインタフェース部７へ転送される。また、ネットワークインタフェース部7を介して入力された画像を表すコードデータは、データ処理部１２１に転送され、そのＰＤＬがLIPSであるのかあるいはポストスクリプトであるのかを判定し、しかるべきフォーマッタ部８ないし９へ転送されて画像データに展開され、この画像データはデータ処理部１２１に転送された後、ファクシミリ部４やプリンタ部２へ転送される。ファクシミリ部４からの画像データは、データ処理部１２１へ転送された後、プリンタ部２やファイル部５、ネットワークインタフェース部７へ転送される。また、ファイル部５からの画像データは、データ処理部１２１へ転送された後、ブリンタ部２やファクシミリ部４、ネットワークインタフェース部７へ転送される。ＣＰＵ１２３はメモリ１２４に記憶されている制御プログラム、及びリーダ部１から転送された制御コマンドに従ってこのような制御を行う。また、メモリ１２４はＣＰＵ１２３の作業領域１２５やプリント設定値の記憶領域１２６としても使われる。
【００１８】
次に本実施例の動作について図４のフローチャートに従って説明する。
【００１９】
まず、コンピュータインタフェース部７が印刷ジョブを受信する（Ｓ４０）。次に印刷ジョブを受信するとＳ４２で、クライアントＰＣ上で入力するための入力設定画面のデータを作成する作成し、印刷ジョブを送信してきたクライアントＰＣに対して、入力設定画面のデータを送信する。この入力設定画面のデータはJava（登録商標）などのクライアントＰＣで動作可能なデータである必要がある。
【００２０】
一方、クライアントＰＣ１１上では、送信された入力設定画面が自動的にポップアップ表示される。
【００２１】
表示する入力画面の例としては、図５の様な画面がある。７０１がＳ４２で最初に表示される画面で、用紙サイズ、両面設定、ステイプル設定などの各プリント設定のデフォルト値が表示されている。ここで、７０２、７０３、７０４の各ボタンを押すことにより、これらのプリント設定の入力が可能となる。７１１の画面は、７０３のボタンを押した場合に表示される両面設定の入力画面で、両面印刷を「する」（７１２）と「しない」（７１３）の選択が可能である。また、７２１の画面は、７０４のボタンを押した場合に表示されるステイプル位置の設定の入力画面で、「コーナー」（７２２）、「ダブル」（７２３）、「中綴じ」（７２４）といったステイプルの種類と、「左上」（７２５）、「右上」（７２６）、「左下」（７２７）、「右下」（７２８）といったステイプル位置の指定が可能である。
【００２２】
また、７０１の画面では７０５の「次へ」のボタンを押すことにより、これ以外のプリント設定が表示され、図示した以外のプリント設定の表示と入力が可能である。
【００２３】
さて、図４に戻って、Ｓ４３でクライアントＰＣ１１上に表示された図５の各入力画面により、ユーザが全てのプリント設定の入力を完了すると、Ｓ４４で、これらの入力されたプリント設定の値のデータが、クライアントＰＣから印刷装置に送られ、印刷ジョブの印刷条件として設定される。次にＳ４５で上記印刷条件を元に印刷ジョブのＲＩＰと印刷の処理が実行される。
【００２４】
（実施例２）
次に第２の実施例の動作について図６のフローチャートに従って説明する。
【００２５】
第２の実施例として、クライアントＰＣのプリンタドライバ上もしくは印刷処理装置本体上に、図５のようなプリント設定入力画面を印刷装置の表示部に表示するか否かの設定、すなわちプリント設定表示ＯＮ・ＯＦＦ切り替え手段を持つことも可能である。
【００２６】
このような切り替え手段を持った場合には、Ｓ６１において、この切り替え手段がＯＮか否かを判断して、ＯＮであった場合には、実施例１のようにプリント設定入力画面を表示する。一方、Ｓ６２において、切り替え手段がＯＦＦに設定されていると判断された場合には、Ｓ６１からのプリント設定画面のポップアップ表示は行わずに、従来技術のように、Ｓ６５において、プリンタドライバで設定され受信ジョブ中にある設定値を用いて印刷ジョブのＲＩＰと印刷の処理を実行する。
【図面の簡単な説明】
【００２７】
【図１】本発明の実施例の印刷装置のブロック図である。
【図２】リーダ部及びプリンタ部の断面図である。
【図３】コア部のブロック図である。
【図４】本発明実施例のフローチャートである。
【図５】プリント設定を設定するための入力画面の例である。
【図６】本発明第２の実施例のフローチャートである。
【符号の説明】
【００２８】
２  プリンタ部
３  画像入出力制御部
７  ネットワークインタフェース部
８  ＬＩＰＳフオーマッタ部
９  ＰＳフオーマッタ部
１３  操作部
１２１  データ処理部
【図１】
2007026079.tif 000003
【図２】
2007026079.tif 000004
【図３】
2007026079.tif 000005
【図４】
2007026079.tif 000006
【図５】
2007026079.tif 000007
【図６】
2007026079.tif 000008